(57)【要約】【課題】浴室の天井に設置して使用される浴室用乾燥機に関し、浴室内を乾燥室として大量の衣類をつるして乾燥する場合に、吹出口からの温風があたりにくい位置や吹出口から遠い位置の衣類等の乾燥むらを防いで、乾燥時間を短縮することを目的とする。【解決手段】浴室への温風の吹出口３に複数の通風孔６を備える袋体５を連結する。袋体５は、吹出口３からの送風を受けて本体ケース１の外へと膨張し、底部にある複数の通風孔６から浴室内に向けて温風が吹出される。複数の通風孔６がハンガーパイプ１４に近づくため、吹出口３よりもより近い位置から衣類に対して温風を吹出すことが可能となり、吹出口３から遠い位置に衣類等があっても乾燥時間を短縮するという効果を有する。【選択図】図２
2010019519.tif 000002
【特許請求の範囲】
【請求項１】
吸込口と吹出口を有する本体ケースと、前記本体ケース内において前記吸込口と前記吹出口を結ぶ風路と、この風路に設けた送風手段と加熱手段を備え、前記吹出口に、通風孔を有する袋体を連結し、前記袋体は前記吹出口からの送風を受けて前記本体ケースの外へ前記吹出口よりも水平方向に大きく膨張する構成としたことを特徴とする浴室用乾燥機。
【請求項２】
袋体は、吹出口からの送風を受けて底部が水平方向に膨張して逆Ｔ字型となることを特徴とする請求項１に記載の浴室用乾燥機。
【請求項３】
袋体は、通風孔を底部に水平かつ等間隔に配置したことを特徴とする請求項２に記載の浴室用乾燥機。
【請求項４】
吹出口と袋体の連結部の少なくとも一方に磁石を備え、他方に前記磁石と吸着する磁性体とを設けて着脱可能な構成としたことを特徴とする請求項３に記載の浴室用乾燥機。
【請求項５】
吹出口と袋体の連結部の一方に凹部を設け他方に前記凹部と係合する凸部を設けたことを特徴とする請求項３または請求項４のどちらか一項に記載の浴室用乾燥機。
【請求項６】
吹出口に仕切板を設け、袋体の開口の一端にリールを設け、前記リールを前記仕切板と対向する本体ケースの内壁に回動自在に連結する構成としたことを特徴とする請求項３に記載の浴室用換気装置。
【請求項７】
仕切板に電磁石を設け、袋体の開口の一端に前記電磁石と吸着する磁性体を設け、前記電磁石に通電すると、前記電磁石に前記磁性体が吸着されて前記袋体の開口が風路と連通する構成としたことを特徴とする請求項６に記載の浴室用換気装置。
【請求項８】
袋体は、リールに巻き取って本体ケース内に収納することが可能であることを特徴とする請求項７に記載の浴室用乾燥機。
【請求項９】
袋体は、引き紐を備えたことを特徴とする請求項８に記載の浴室用乾燥機。
【請求項１０】
リールを駆動するためのモータを設けたことを特徴とする請求項８に記載の浴室用乾燥機。
【請求項１１】
リールは、本体ケースの内壁から着脱可能な構成としたことを特徴とする請求項９または請求項１０のどちらか一項に記載の浴室用乾燥機。
【発明の詳細な説明】
【技術分野】
【０００１】
本発明は、浴室内で衣類等を乾燥させることができる浴室用乾燥機に関する。
【背景技術】
【０００２】
従来、この種の浴室用乾燥機は、排気口を有する本体ケースと、浴室内の空気を吸い込むための吸込口と、吸い込んだ空気を浴室内にもどす吹出口とを有する本体パネルとを備えて箱状に形成され、本体ケースの内部には、吸込口から空気を吸引して送風するための送風手段と、送風ファンからの空気の送風方向を排気口や吹出口に切り換えるためのダンパーと、送風ファンが吸い込んだ空気を暖める加熱手段とを備えたものが知られている（例えば、特許文献１参照）。
【０００３】
以下、従来の浴室用乾燥機について図１２を参照しながら説明する。
【０００４】
図１２に示すように、本体は、本体ケース１０１と、吸込口１０２と吹出口１０３とを有する本体パネル１０４とにより箱状に形成される。本体ケース１０１は、側面に排気口１０５を有し、内部に送風手段としての送風機１０７と、加熱手段としてのヒーター１０９と、送風機１０７が送風する空気の風路を切り換えるダンパー１１０を備える。本体ケース１０１には、さらにダンパー１１０の動作を制御する制御手段（図示せず）を備える。
【０００５】
従来の浴室用乾燥機を浴室の天井面１１３に設置して乾燥運転を行うと、送風機１０７が運転され、浴室内の空気が吸込口１０２から吸引される。送風機１０７により吸引送風される空気は、ダンパー１１０によって仕切られた吹出口１０３と連通する風路において、ヒーター１０９によって暖められ、この暖められた空気は吹出口１０３から浴室内へと戻される。またダンパー１１０は吹出口１０３と排気口１０５に同時に送風機１０７から供給される位置に開いており、吹出口１０３と排気口１０５より空気を送風することとなる。そして暖められた空気の循環を繰り返すことにより、浴室内につりさげた衣類等を乾燥することができる。
【特許文献１】特開平１０−３２８４９４号公報
【発明の開示】
【発明が解決しようとする課題】
【０００６】
従来の浴室用乾燥機では、衣類等の乾燥に時間がかかるという課題があった。すなわち、温風の吹出口１０３から近い範囲につるした衣類等は早く乾燥するのに比べて、温風が当たりにくい位置や温風の吹出口１０３から遠い位置につるした衣類等の乾燥には時間がかかる。したがって、短い運転時間では衣類等の乾燥むらが生じ、全体が乾燥されるまでに運転時間を延長しなければならず、その結果として衣類の乾燥時間が長くなる。
【０００７】
そこで、本発明は、衣類の乾燥時間を短縮することができる浴室用乾燥機を提供することを目的としている。
【課題を解決するための手段】
【０００８】
この目的を達成するために本発明の浴室用乾燥機は、吸込口と吹出口を有する本体ケースと、前記本体ケース内において前記吸込口と前記吹出口を結ぶ風路と、この風路に設けた送風手段と加熱手段を備え、前記吹出口に、通風孔を有する袋体を連結し、前記袋体は前記吹出口からの送風を受けて前記本体ケースの外へと前記吹出口よりも水平方向に大きく膨張する構成とした。
【発明の効果】
【０００９】
以上のように、浴室への温風の吹出口に複数の通風孔を有する袋体を連結し、この袋体は、吹出口からの送風を受けて本体ケースの外へと吹出口よりも水平方向に大きく膨張する構成としたことにより、袋体の通風孔から浴室内につるした衣類等の近くで温風を吹出すことができるため、吹出口から遠い位置に衣類等があっても乾燥時間を短縮する効果のある浴室用乾燥機を提供できる。
【発明を実施するための最良の形態】
【００１０】
（実施の形態１）
図１は、実施の形態１における浴室用乾燥機の側面構成図である。図２は、実施の形態１における（ａ）浴室用乾燥機の正面模式図（ｂ）同側面模式図である。図３は、（ａ）実施の形態１における他の袋体の正面図（ｂ）同側面図である。図４は、（ａ）実施の形態１における他の吹出口の拡大図（ｂ）他の袋体の拡大図である。
【００１１】
以下、図面を参照しながら、本実施の形態１における構成を説明する。
【００１２】
図１に示すように、本実施の形態１の浴室用乾燥機は、側面に排気口（図示せず）を有し、下部を開口した箱状の本体ケース１と、吸込口２および吹出口３を形成し、本体ケースの開口と対向する本体パネル４と、吹出口３に連結された袋体５とを備える。
【００１３】
本体ケース１の内部には、吸込口２と吹出口３とを結ぶ風路において、送風手段としての送風ファン７およびファンモータ８、加熱手段としての熱交換器９、風路を切り換えるダンパー１０とを備える。
【００１４】
加熱手段としての熱交換器９は、温水を利用するものとしているが、シーズヒーターやセラミックヒーター等の電気を利用するものであってもよい。また、送風ファン７は、シロッコ形の遠心ファンとしているが、静圧が高い他の形式のものであってもよい。
【００１５】
ダンパー１０は、下部に本体パネル４の吹出口３を第１の吹出口３ａと第２の吹出口３ｂとに仕切る仕切板としての支持部１０ａと、上部に支持部との連結部１０ｂを軸として回動する回動部１０ｃとにより形成され、この回動部１０ｃを回動させることにより、吸込口２と第１の吹出口３ａとを結ぶ風路Ａ、または、吸込口２と第２の吹出口３ｂとを結ぶ風路（図示せず）のどちらかに切り換える。
【００１６】
袋体５は、開口が吸込口２と第１の吹出口３ａとを結ぶ風路Ａと連通するように、本体パネル４の第１の吹出口３ａに連結される。袋体５は、耐熱性があり空気を透過しない、例えばポリエチレン等の材質からなり、複数の通風孔６を有している。
【００１７】
さらに、本体パネル４の第２の吹出口３ｂには風向ガイド板１１を備え、本体ケース１の外壁には送風手段、加熱手段、ダンパー１０、および風向ガイド板１１の動作を制御する制御手段としての制御部１２および図示しない電気ワイヤを備える。
【００１８】
なお、本形態においては、袋体５を第１の吹出口３ａに連結し、風向ガイド板１１を第２の吹出口３ｂに備える構成としているが、この限りではなく、逆であってもよい。
【００１９】
以下、図面を参照しながら、動作を詳細に説明する。
【００２０】
図１に示すように、送風ファン７が運転されると、浴室内の空気は吸込口２から本体ケース１の内部に吸い込まれ、排気口（図示せず）を経由して外に排出される。同時に、熱交換器９が運転され、本体ケース１の内部に吸い込まれた空気は熱交換器９によって暖められる。暖められた空気は、送風ファン７によって、吹出口３へと運ばれる。このとき、ダンパー１０が作動して回動部１０ｃが回動し、第１の吹出口３ａに連通する風路Ａ、または、第２の吹出口３ｂと連通する風路（図示せず）のどちらか一方に風路を切り換える。
【００２１】
ダンパー１０が風路Ａに切り換えると、熱交換器９によって暖められた空気は、送風ファン７によって風路Ａを経由して第１の吹出口３ａへ運ばれ、第１の吹出口３ａに連結された袋体５の開口に導入される。袋体５は、導入された暖かい空気を受けて、本体ケース１の外へと第１の吹出口３ａよりも水平方向に大きく膨張し、複数の通風孔６から浴室内に向けて温風が吹出される。
【００２２】
このような構成と動作によって、図２に示すように、本実施例の浴室用乾燥機を浴室の天井面１３に設置して使用すると、吹出口３に連結された複数の通風孔を有する袋体５は、吹出口３からの送風を受けて浴室内で本体ケース１の外へと吹出口３よりも水平方向に大きく膨張し、膨張した袋体５の内部の空気は、袋体５に備えた複数の通風孔６から、浴室内に衣類をつりさげるために設けられたハンガーパイプ１４につるされた衣類等の近くで吹出される。通風孔６から衣類等の近くで温風が吹きかけられると、直接衣類に温風が当たることにより衣類表面に付着した水滴を吹き飛ばすこととなり、衣類表面上に付着した水滴を短時間に減少させ、さらに直接吹きかけられる温風の熱により衣類に含まれた水分が蒸発し、蒸発した水分を含んだ空気は、ふたたび浴室用乾燥機に吸引されて、循環することにより、浴室内の衣類の乾燥が促進される。
【００２３】
以上のように、吹出口３に連結された袋体５の内部に温風が吹き込まれると、袋体５が本体ケース１の外へ吹出口３よりも水平方向に大きく膨張し、複数の通風孔６がハンガーパイプ１４に近づくため、吹出口３よりもより近い位置から衣類に対して温風を吹出すことが可能となり、吹出口３から遠い位置につるされた衣類等に対しても、乾燥時間を短縮することができることから、乾燥むらを防止し、衣類全体の乾燥時間を短縮するという効果を奏する。
【００２４】
なお、図２に示すように、吹出口３に装着される袋体５は、開口の幅よりも底部を水平方向に伸ばした逆Ｔ字型とすると、袋体５が逆Ｔ字型に膨張する構成となる。すなわち、複数の通気孔を有する底部がハンガーパイプ１４に沿って水平方向に広がるため、ハンガーパイプ１４の両端など、吹出口３から遠い位置につるされた衣類等に対しても、近い位置から温風を吹出すことが可能となる。
【００２５】
このようにすると、吹出口３の下方に位置する衣類だけでなく、ハンガーパイプ１４の両端の衣類に対しても、近くの通風孔から温風を吹出すことが可能となるため、ハンガーパイプ１４の両端に位置する衣類の乾燥時間を短縮することができるという効果を奏する。
【００２６】
なお、図２に示すように、吹出口３に装着される袋体５の底部に備えた複数の通風孔６を水平方向に均等に配置すると、浴室内のハンガーパイプ１４につるされた衣類等に向けて均等な間隔で温風が吹出される。すなわち、袋体５に設けた複数の通風孔６から衣類の近くで温風を吹出すだけでなく、衣類に対して均等な間隔で温風を吹出すことが可能となる。
【００２７】
このようにすると、浴室内のすべての衣類に対して、近くの通風孔から均等に温風を吹出すことが可能となるため、ハンガーパイプ１４につりさげた衣類の乾燥むらを防止し、衣類全体の乾燥時間を短縮することができるという効果を奏する。このことによりハンガーパイプ１４に吊るす衣類の配置に関しても、厚手の生地のものを吹出口３の近傍に吊るすという配慮が必要でなくなり、誰でも容易に衣類乾燥を行うことができることとなる。
【００２８】
なお、本実施の形態１では、袋体５の開口を本体パネル４の第１の吹出口３ａと連結する構成としたが、他の形態として、第１の吹出口３ａと袋体５の連結部に磁石を備えて着脱可能な構成としてもよい。
【００２９】
このような構成では、図３および図４（ｂ）に示すように、袋体５の開口に連結部としての接続パネル１５を備える。接続パネル１５は、第１の吹出口３ａに下方から嵌めることが可能な長方形であって、第１の吹出口３ａと連通する開口を有し、第１の吹出口３ａと対向する面の長手方向の両端に磁石１６を備える。磁石１６は、長辺が接続パネル１５の短辺のおよそ半分の長さを有する長方形とする。一方、接続パネル１５が連結される第１の吹出口３ａには、開口の長手方向の両縁に、磁石１６と吸着する磁性体としての磁石１７を備え、第１の吹出口３ａに接続パネル１５を嵌めたときに磁石１６と吸着するように構成する。
【００３０】
以上のような構成においては、接続パネル１５を第１の吹出口３ａに嵌めると、磁石１６と磁石１７が磁力で吸着することによって、袋体５は第１の吹出口３ａに着脱可能となる。
【００３１】
この構成により、衣類を乾燥する場合には、袋体５を装着して、乾燥時間を短縮することが可能となる一方、衣類乾燥を行わない場合には、袋体５を取り外すことが可能となるため、浴室内の美観を損ねない。
【００３２】
また、衣類乾燥を行わない場合は本体から袋体５を取り外して、ダンパー１０の回動部１０ｃを、第１の吹出口３ａと第２の吹出口３ｂの両方に連通する位置まで回動させれば、第１の吹出口３ａと第２の吹出口３ｂの両方から浴室内に温風を送風することが可能となるため、浴室暖房、浴室乾燥としての効果を高めることも可能である。
【００３３】
なお、図３（ｂ）および図４（ｂ）に示すように、磁石１６に凸部としてのリブ１８を設け、磁石１７に凹部としての溝１９を設ける構成とすると、磁石１６と磁石１７は特に磁石とする必要はなく、凹部と凸部を備える構造のみによって、リブ１８を溝１９にスライドさせて、袋体５が第１の吹出口３ａに着脱可能になるとともに、袋体５が第１の吹出口３ａから脱落して落下するのを防止するという効果を奏する。
【００３４】
（実施の形態２）
以下、本発明の実施の形態２について、図面を参照しながら説明する。
【００３５】
図５は、（ａ）同実施の形態２における袋体の正面図（ｂ）同側面図である。図６は、本発明の実施の形態２における浴室用乾燥機の側面構成図である。図７と図８は、同実施の形態２における浴室用乾燥機の側面構成図である。なお、実施の形態１の構成と同一の構成については、同一の符号を参照し、その説明を簡略化する。
【００３６】
図５において、実施の形態１の袋体５と相違する点は、袋体５の開口する一端に磁石２０、他端に袋体５を巻き取るためのリール２１をそれぞれ設けた点である。
【００３７】
図５に示すように、磁石２０は長方形をなし、その長辺は第１の吹出口３ａの長手方向と同一かそれ以下の長さとし、短辺はリール２１に巻き取り可能な長さとする。
【００３８】
リール２１は回転軸２２を中心に回動する。
【００３９】
図６において、実施の形態１の構成と相違する点は、以下のとおりである。
【００４０】
ダンパー１０の支持部１０ａに、第１の吹出口３ａと連通する風路側の側面に設けた電磁石２３と、制御部１２からこの電磁石２３に通電するための電気ワイヤ２４とを備える。袋体５は、リール２１の回転軸２２が回動自在となるように本体ケース１の内壁に取り付けられている。このとき、リール２１はダンパー１０の支持部１０ａに備えた電磁石２３と隣接するように配置する。
【００４１】
以下、図面を用いて動作を説明する。
【００４２】
図６に示すように、制御部１２から電磁石２３に通電しない状態では、ダンパー１０は、回動部１０ｃを回動させて、袋体５を装着しない第２の吹出口３ｂと連通する風路Ｂに切り換える。送風ファン７が運転され、浴室内の空気が吸込口２から本体ケース１の内部に吸い込まれると、排気口（図示せず）を経由して外に排出される。同時に、熱交換器９が運転されると、本体ケース１の内部に吸い込まれた空気は熱交換器９によって暖められる。熱交換器９によって暖められた空気は、送風ファン７によって、風路Ｂを通って、第２の吹出口３ｂへと運ばれる。第２の吹出口３ｂから空気は、風向ガイド板１１によって送風する方向を調整されて浴室内へ吹出される。熱交換器９を運転しない場合には、空気は暖められずに、第２の吹出口３ｂから浴室内へと戻される。
【００４３】
次に、図７に示すように、リール２１を回動して袋体５を第１の吹出口３ａから浴室内に引き出すとともに、ダンパー１０の回動部１０ｃを回動して第１の吹出口３ａと連通する風路に切り換える。このとき、制御部１２から電磁石２３に通電すると、電磁石２３に隣接するように袋体５の開口に設けた磁石２０を引き寄せる。
【００４４】
次に、図８に示すように、電磁石２３によって引き寄せられた磁石２０が電磁石２３に吸着すると、袋体５の開口が開いて風路Ａと連通する。この状態で、送風ファン７が運転されると、浴室内の空気は吸込口２から本体ケース１の内部に吸い込まれ、排気口（図示せず）を経由して外に排出される。同時に、熱交換器９が運転され、本体ケース１の内部に吸い込まれた空気は熱交換器９によって加熱される。熱交換器９によって暖められた空気は、送風ファン７から風路Ａを通って袋体５の開口に導入される。袋体５は、送風を受けて本体ケース１の外へと第１の吹出口３ａよりも水平方向に大きく膨張し、浴室内の衣類の近づいて通風孔６から温風を吹出す。
【００４５】
そして、送風ファン７と熱交換器９の運転を停止し、制御部１２から電磁石２３への通電を停止すると、磁石２０は電磁石２３から離れる。この状態でリール２１を逆に回動させると、袋体５はリール２１に巻き取ることができる。このとき袋体５に残存する空気は通風孔６を介して袋体５より外部に放出される。
【００４６】
以上のような構成と動作により、袋体５を使用して浴室内で衣類乾燥をおこなう場合にのみ、リール２１を回動して、本体ケース１の内部から引き出すことが可能となる。このようにすると、浴室から天井面に設置した本体ケース１に袋体５を装着する必要がなく、衣類等の近くで温風を吹出して、吹出口３から遠い位置に衣類があっても乾燥時間を短縮する効果のある浴室用乾燥機を、簡便に利用することが可能となるという効果を奏する。
【００４７】
なお、袋体５は、開口に設けたリール２１に完全に巻き取って、本体ケース１の内部に、ダンパー１０により遮断された第１の吹出口３ａと連通する風路Ａに収納できる大きさ、材質とすると、袋体５を使用しない場合に、本体ケース１の内部に収納できることにより、浴室内の美観を損ねないという効果を有する。また、風路を切り換えて第２の吹出口３ｂから送風する場合にも、袋体５が本体ケース１に収納されるため、風向ガイド板１１によって案内される空気の吹出し範囲において、袋体５が障害物とならないという効果を有する。
【００４８】
なお、袋体５は、図６に示すように、第１の吹出口３ａを通って浴室内に伸びる引き紐２５を備える構成としてもよい。このようにすると、袋体５がリール２１に巻き取られて、本体ケース１の内部に収納された状態では、引き紐２５のみが第１の吹出口３ａを通って浴室内に垂れ下がる構成となり、引き紐を引くことにより、簡単に袋体５の浴室内へ引出すことが可能となるという効果を有する。
【００４９】
なお、袋体５に設けたリール２１は、本体ケース１の内壁から着脱可能な構成としてもよい。このようにすると、衣類乾燥を行わない場合は本体から袋体５を取り外して、ダンパー１０の位置を、第１の吹出口３ａと第２の吹出口３ｂの両方に連通するようにすれば、第１の吹出口３ａと第２の吹出口３ｂの両方から浴室内に温風を送風することが可能となるため、浴室暖房、浴室乾燥としての効果を高めることも可能である。
【００５０】
（実施の形態３）
以下、本発明の実施の形態３について、図面を参照しながら説明する。
【００５１】
図９から図１１の各図は、本発明の実施の形態３における浴室用乾燥機の側面構成図である。なお、実施の形態１および実施の形態２の構成と同一の構成については、同一の符号を参照し、その説明を簡略化する。
【００５２】
図９において、実施の形態２と相違する点は、リール２１を駆動するモータ２６を設け、モータ２６の動作は制御部１２により制御される構成とした点である。
【００５３】
以下図面を用いて動作を説明する。
【００５４】
衣類等を乾燥する場合、ダンパー１０の回動部１０ｃは、図９に示すように、第２の吹出口３ｂと連通する風路を遮断し、第１の吹出口３ａと連通する風路に切り換える。
【００５５】
ここで、制御部１２から（図示しない）電気ワイヤにより信号を送信してモータ２６を運転すると、モータ２６によって駆動されたリール２１が回動して、図１０に示すように、第１の吹出口３ａを通じて袋体５を浴室内に降ろす。
【００５６】
ここで、制御部１２から電気ワイヤ２４によりダンパー１０の支持部１０ａに設けた電磁石２３に通電すると、袋体５の開口の他端に設けた磁石２０は、電磁石２３に引き寄せられる。
【００５７】
電磁石２３によって引き寄せられた磁石２０が電磁石２３に吸着すると、図１１に示すように、袋体５の開口が開き、第１の吹出口３ａと連通する風路Ａと連通する。この状態で、送風ファン７が運転されると、浴室内の空気は吸込口２から本体ケース１の内部に吸い込まれ、排気口（図示せず）を経由して外に排出される。同時に、熱交換器９が運転され、本体ケース１の内部に吸い込まれた空気は熱交換器９によって加熱される。熱交換器９によって暖められた空気は、送風ファン７から風路Ａを通って袋体５の開口に導入される。袋体５は、送風を受けて本体ケース１の外へと吹出口より水平方向に大きく膨張し、通風孔６から浴室内の衣類の近くで温風を吹出す。
【００５８】
送風ファン７と熱交換器９の運転を停止し、制御部１２から電磁石２３への通電を停止すると、磁石２０は電磁石２３から離れる。この状態でモータ２６が運転され、リール２１を逆に回動させると、袋体５はリール２１に巻き取られ、本体ケース１の内部に、ダンパー１０により遮断された第１の吹出口３ａと連通する風路に完全に収納される。
【００５９】
以上のような構成と動作により、浴室内に衣類を吊り下げて衣類の近くから温風を吹出して乾燥させる場合には、モータ２６を駆動してリール２１を自動的に回動させることによって、袋体５を本体ケース１の内部から簡単に引き出すことが可能となる。このようにすると、浴室から天井面に袋体を装着したり、天井面から引き出したりする必要がなく、衣類等の近くで温風を吹出して、吹出口３から遠い位置に衣類があっても乾燥時間を短縮することができる浴室用乾燥機を、簡便に利用できるという効果を奏する。
【００６０】
なお、袋体５を使用しない場合は、本体ケース１の内部に収納できることにより、浴室内の美観を損ねないという効果を有する。また、風路を切り換えて第２の吹出口３ｂから送風する場合にも、袋体５が本体ケース１に収納されるため、風向ガイド板１１によって案内される空気の吹出し範囲において、袋体５が障害物とならないという効果を有する。
【００６１】
なお、袋体５に設けたリール２１は、本体ケース１の内壁から着脱可能な構成としてもよい。このようにすると、衣類乾燥を行わない場合は本体から袋体５を取り外して、ダンパー１０の位置を、第１の吹出口３ａと第２の吹出口３ｂの両方に連通するようにすれば、第１の吹出口３ａと第２の吹出口３ｂの両方から浴室内に温風を送風することが可能となるため、浴室暖房、浴室乾燥としての効果を高めることも可能である。
【産業上の利用可能性】
【００６２】
本発明の乾燥機は、室内に吊るした大量の衣類等に対して乾燥時間を短縮し、乾燥むらを防止する効果を有することから、浴室以外にも洗濯乾燥室や、サウナ、サンルーム等にも適用することができる。また工場作業場等の人または対象物が点在する箇所において、少ない空調機またはエネルギーで効率よく空調する空調システムにも適用することができる。
【図面の簡単な説明】
【００６３】
【図１】本発明の実施の形態１における浴室用乾燥機の側面構成図
【図２】（ａ）実施の形態１における浴室用乾燥機の正面模式図（ｂ）同側面模式図
【図３】（ａ）実施の形態１における他の袋体の正面図（ｂ）同側面図
【図４】（ａ）実施の形態１における他の吹出口の拡大図（ｂ）他の袋体の拡大図
【図５】（ａ）実施の形態２における袋体の正面図（ｂ）同側面図
【図６】本発明の実施の形態２における浴室用乾燥機の側面構成図
【図７】同側面構成図
【図８】同側面構成図
【図９】本発明の実施の形態３における浴室用乾燥機の側面構成図
【図１０】同側面構成図
【図１１】同側面構成図
【図１２】従来の浴室用乾燥機を示す断面図
【符号の説明】
【００６４】
１      本体ケース
２      吸込口
３      吹出口
３ａ    第１の吹出口
３ｂ    第２の吹出口
４      本体パネル
５      袋体
６      通風孔
７      送風ファン
８      ファンモータ
９      熱交換器
１０    ダンパー
１０ａ  支持部
１０ｂ  連結部
１０ｃ  回動部
１２    制御部
１５    接続パネル
１６    磁石
１７    磁石
１８    リブ（凸部）
１９    溝（凹部）
２０    磁石
２１    リール
２２    回転軸
２３    電磁石
２５    引き紐
２６    モータ
【図１】
2010019519.tif 000003
【図２】
2010019519.tif 000004
【図３】
2010019519.tif 000005
【図４】
2010019519.tif 000006
【図５】
2010019519.tif 000007
【図６】
2010019519.tif 000008
【図７】
2010019519.tif 000009
【図８】
2010019519.tif 000010
【図９】
2010019519.tif 000011
【図１０】
2010019519.tif 000012
【図１１】
2010019519.tif 000013
【図１２】
2010019519.tif 000014